(57)【要約】【課題】  ウォブル及びウォブルにより記録されている付帯情報をより正確に抽出する。【解決手段】  トラックの外周側の境界を含む領域からの第１の反射光及び前記トラックの内周側の境界を含む領域からの第２の反射光にそれぞれ応じた第１及び第２の検出信号を出力する光検出部と、前記第１及び第２の検出信号の振幅をそれぞれ正規化して出力する第１及び第２のゲイン調整器と、前記第１及び第２のゲイン調整器の出力信号を、両者の振幅の比がバランス調整信号に応じた比となるように調整して、調整後の信号のそれぞれをバランス調整後の第１及び第２の検出信号として出力するバランス調整部と、前記バランス調整後の第１及び第２の検出信号の差を求めて出力する減算器と、前記減算器の出力に基づいて付帯情報を求める付帯情報抽出器と、前記付帯情報が正確に求められるように、前記バランス調整信号を生成して出力する制御部とを備える。【選択図】      図４
2006277876.tif 000002
【特許請求の範囲】
【請求項１】
光ディスク上のトラックにウォブルによって記録されている付帯情報を抽出する光ディスク装置であって、
前記トラックに光ビームを照射する光照射素子と、
前記トラックの外周側の境界を含む領域からの第１の反射光及び前記トラックの内周側の境界を含む領域からの第２の反射光を検出し、前記第１及び第２の反射光にそれぞれ応じた第１及び第２の検出信号を出力する光検出部と、
前記第１の検出信号の振幅を正規化して出力する第１のゲイン調整器と、
前記第２の検出信号の振幅を正規化して出力する第２のゲイン調整器と、
前記第１及び第２のゲイン調整器の出力信号を、両者の振幅の比がバランス調整信号に応じた比となるように調整して、調整後の信号のそれぞれをバランス調整後の第１及び第２の検出信号として出力するバランス調整部と、
前記バランス調整後の第１の検出信号と前記バランス調整後の第２の検出信号との差を求めて出力する減算器と、
前記減算器の出力に基づいて前記付帯情報を求める付帯情報抽出器と、
前記付帯情報が正確に求められるように、前記バランス調整信号を生成して出力する制御部とを備える
光ディスク装置。
【請求項２】
請求項１に記載の光ディスク装置において、
前記付帯情報抽出器によって前記付帯情報が正しく求められたか否かを判定し、その判定結果を出力する付帯情報検出判定器を更に備える
ことを特徴とする光ディスク装置。
【請求項３】
請求項２に記載の光ディスク装置において、
前記判定結果に基づいて、前記付帯情報が求められた率を測定し、その測定結果を付帯情報検出率として出力する付帯情報検出率測定器を更に備える
ことを特徴とする光ディスク装置。
【請求項４】
請求項３に記載の光ディスク装置において、
前記制御部は、
記録済みディスク再生時に、前記付帯情報検出率が高くなるように前記バランス調整信号を求め、前記求められたバランス調整信号を、データ記録時に出力するものである
ことを特徴とする光ディスク装置。
【請求項５】
請求項４に記載の光ディスク装置において、
前記制御部は、
前記求められたバランス調整信号を出力した後、データ記録時に、前記付帯情報検出率が高くなるように前記バランス調整信号を求め、出力するものである
ことを特徴とする光ディスク装置。
【請求項６】
請求項４に記載の光ディスク装置において、
データ記録時に、前記第１のゲイン調整器の出力と、前記第２のゲイン調整器の出力との振幅の差を検出し、前記振幅の差が小さくなるように、前記バランス調整部を制御する振幅差検出器を更に備える
ことを特徴とする光ディスク装置。
【請求項７】
請求項４に記載の光ディスク装置において、
データ記録時に、前記第１のゲイン調整器の出力と、前記第２のゲイン調整器の出力との位相の差を検出し、前記位相の差が小さくなるように、前記バランス調整部を制御する位相差検出器を更に備える
ことを特徴とする光ディスク装置。
【請求項８】
請求項３に記載の光ディスク装置において、
前記制御部は、
レーザパワー学習領域への記録時に、前記付帯情報検出率が高くなるように前記バランス調整信号を求め、前記求められたバランス調整信号を、データ記録時に出力するものである
ことを特徴とする光ディスク装置。
【請求項９】
請求項８に記載の光ディスク装置において、
前記制御部は、
前記求められたバランス調整信号を出力した後、データ記録時に、前記付帯情報検出率が高くなるように前記バランス調整信号を求め、出力するものである
ことを特徴とする光ディスク装置。
【請求項１０】
請求項８に記載の光ディスク装置において、
データ記録時に、前記第１のゲイン調整器の出力と、前記第２のゲイン調整器の出力との振幅の差を検出し、前記振幅の差が小さくなるように、前記バランス調整部を制御する振幅差検出器を更に備える
ことを特徴とする光ディスク装置。
【請求項１１】
請求項８に記載の光ディスク装置において、
データ記録時に、前記第１のゲイン調整器の出力と、前記第２のゲイン調整器の出力との位相の差を検出し、前記位相の差が小さくなるように、前記バランス調整部を制御する位相差検出器を更に備える
ことを特徴とする光ディスク装置。
【請求項１２】
請求項３に記載の光ディスク装置において、
前記制御部は、
レーザパワー学習後のレーザパワー学習領域の再生時に、前記付帯情報検出率が高くなるように前記バランス調整信号を求め、前記求められたバランス調整信号を、データ記録時に出力するものである
ことを特徴とする光ディスク装置。
【請求項１３】
請求項１２に記載の光ディスク装置において、
前記制御部は、
前記求められたバランス調整信号を出力した後、データ記録時に、前記付帯情報検出率が高くなるように前記バランス調整信号を求め、出力するものである
ことを特徴とする光ディスク装置。
【請求項１４】
請求項１２に記載の光ディスク装置において、
データ記録時に、前記第１のゲイン調整器の出力と、前記第２のゲイン調整器の出力との振幅の差を検出し、前記振幅の差が小さくなるように、前記バランス調整部を制御する振幅差検出器を更に備える
ことを特徴とする光ディスク装置。
【請求項１５】
請求項１２に記載の光ディスク装置において、
データ記録時に、前記第１のゲイン調整器の出力と、前記第２のゲイン調整器の出力との位相の差を検出し、前記位相の差が小さくなるように、前記バランス調整部を制御する位相差検出器を更に備える
ことを特徴とする光ディスク装置。
【発明の詳細な説明】
【技術分野】
【０００１】
本発明は、ウォブルによって付帯情報が記録されている光ディスクへのデータの記録を行う光ディスク装置に関する。
【背景技術】
【０００２】
一般に、記録可能な光ディスクには、図１に示すようにデータ記録時に光スポットをガイドするための案内溝（グルーブ）が形成されており、このグルーブに沿ってデータが記録される。グルーブは、ディスクの回転を制御する基準クロックを生成するために、所定の形状にウォブリングされている。
【０００３】
特に、ＤＶＤ＋Ｒ及びＤＶＤ＋ＲＷ等の光ディスクには、正弦波と、この正弦波から位相が１８０度ずれた正弦波とをつなぎ合わせた形状にグルーブをウォブリングさせることによって、ＡＤＩＰ（Address In Pre-groove）と呼ばれるアドレス情報が付帯情報として記録されている。
【０００４】
ウォブルによって記録された付帯情報を抽出する場合には、トラック（グルーブ）の一方の境界を含む領域からの第１の反射光、及びトラックの他方の境界を含む領域からの第２の反射光をそれぞれ増幅した後、増幅された信号（それぞれを信号ＴＥ＋，ＴＥ−と称する）の差からウォブル信号を得て、付帯情報を抽出する方法が広く採用されている。
【０００５】
差信号を生成する際には、光ピックアップが出力する信号の振幅及び位相等のばらつきや、増幅器のゲインのばらつきに起因して、ＲＦ残留成分が大きくなり、ウォブル信号の劣化及び付帯情報検出率の低下が生じる。これを回避するには、信号ＴＥ＋と信号ＴＥ−とを、振幅がほぼ同等になるようＡＧＣ（Auto Gain Controller）で正規化してから、差信号を生成し、得られた差信号をＬＰＦ（Low Pass Filter）に通してノイズ除去を行う方法がある。
【０００６】
ウォブルによって記録された付帯情報を抽出する方法は、例えば特許文献１に開示されている。
【特許文献１】特開平１１−１６１９８２号公報
【発明の開示】
【発明が解決しようとする課題】
【０００７】
しかし、製造時に生じたＡＧＣの特性のばらつき等により、正規化された信号の振幅にはばらつきが発生し、ＲＦ（radio frequency）残留成分を完全に除去することはできない。また、ＬＰＦのカットオフ周波数Ｆｃを下げることにより、ＲＦ残留成分の減衰が期待できるが、ＤＶＤ＋Ｒ及びＤＶＤ＋ＲＷのウォブル信号の周波数は８１７ｋＨｚであり（例えば、他の記録用光ディスクＤＶＤ−Ｒ及びＤＶＤ−ＲＡＭのウォブル信号の周波数の約６倍）、ＲＦ成分の周波数帯域に近接しているため、カットオフ周波数Ｆｃの設定によりＲＦ残留成分のみを除去することが困難である。その結果、ウォブル信号の劣化及び付帯情報検出率の低下を招いてしまう。
【０００８】
またデータ記録時においては、レーザ発光パターンに従って高速なパルスにより書き込みを実施するので、再生時に比べて高周波の残留成分が増加し、更なるウォブル信号の劣化及び付帯情報検出率の低下を招く。その結果、付帯情報として与えられているアドレス情報を正確に検出できなくなる。誤検出されたアドレスに対しデータの書き込みを実施すると、データのオーバーライトやブランクが発生する。
【０００９】
したがって、光ディスク装置におけるウォブル及びウォブルによって記録されている付帯情報を抽出する系を、個々の装置や個々の光ディスクについて調整することが必要である。特に、より高速な記録を行う光ディスク装置では、より正確にウォブル及びウォブルによって記録された付帯情報を抽出することが必要である。
【００１０】
本発明は、ウォブル、及びウォブルによって記録されている付帯情報をより正確に抽出することができる光ディスク装置を提供することを目的とする。
【課題を解決するための手段】
【００１１】
前記課題を解決するため、請求項１の発明が講じた手段は、光ディスク上のトラックにウォブルによって記録されている付帯情報を抽出する光ディスク装置であって、前記トラックに光ビームを照射する光照射素子と、前記トラックの外周側の境界を含む領域からの第１の反射光及び前記トラックの内周側の境界を含む領域からの第２の反射光を検出し、前記第１及び第２の反射光にそれぞれ応じた第１及び第２の検出信号を出力する光検出部と、前記第１の検出信号の振幅を正規化して出力する第１のゲイン調整器と、前記第２の検出信号の振幅を正規化して出力する第２のゲイン調整器と、前記第１及び第２のゲイン調整器の出力信号を、両者の振幅の比がバランス調整信号に応じた比となるように調整して、調整後の信号のそれぞれをバランス調整後の第１及び第２の検出信号として出力するバランス調整部と、前記バランス調整後の第１の検出信号と前記バランス調整後の第２の検出信号との差を求めて出力する減算器と、前記減算器の出力に基づいて前記付帯情報を求める付帯情報抽出器と、前記付帯情報が正確に求められるように、前記バランス調整信号を生成して出力する制御部とを備えるものである。
【００１２】
請求項１の発明によると、正規化された第１及び第２の検出信号の振幅の比を適切な値にして、第１及び第２の検出信号の双方に含まれる同相信号を除去することができるので、ウォブルを正確に検出し、付帯情報を正確に求めることができる。
【００１３】
請求項２の発明は、請求項１に記載の光ディスク装置において、前記付帯情報抽出器によって前記付帯情報が正しく求められたか否かを判定し、その判定結果を出力する付帯情報検出判定器を更に備えるものである。
【００１４】
請求項３の発明は、請求項２に記載の光ディスク装置において、前記判定結果に基づいて、前記付帯情報が求められた率を測定し、その測定結果を付帯情報検出率として出力する付帯情報検出率測定器を更に備えるものである。
【００１５】
請求項４の発明では、請求項３に記載の光ディスク装置において、前記制御部は、記録済みディスク再生時に、前記付帯情報検出率が高くなるように前記バランス調整信号を求め、前記求められたバランス調整信号を、データ記録時に出力するものである。
【００１６】
請求項５の発明では、請求項４に記載の光ディスク装置において、前記制御部は、前記求められたバランス調整信号を出力した後、データ記録時に、前記付帯情報検出率が高くなるように前記バランス調整信号を求め、出力するものである。
【００１７】
請求項６の発明は、請求項４に記載の光ディスク装置において、データ記録時に、前記第１のゲイン調整器の出力と、前記第２のゲイン調整器の出力との振幅の差を検出し、前記振幅の差が小さくなるように、前記バランス調整部を制御する振幅差検出器を更に備えるものである。
【００１８】
請求項７の発明は、請求項４に記載の光ディスク装置において、データ記録時に、前記第１のゲイン調整器の出力と、前記第２のゲイン調整器の出力との位相の差を検出し、前記位相の差が小さくなるように、前記バランス調整部を制御する位相差検出器を更に備えるものである。
【００１９】
請求項８の発明では、請求項３に記載の光ディスク装置において、前記制御部は、レーザパワー学習領域への記録時に、前記付帯情報検出率が高くなるように前記バランス調整信号を求め、前記求められたバランス調整信号を、データ記録時に出力するものである。
【００２０】
請求項９の発明では、請求項８に記載の光ディスク装置において、前記制御部は、前記求められたバランス調整信号を出力した後、データ記録時に、前記付帯情報検出率が高くなるように前記バランス調整信号を求め、出力するものである。
【００２１】
請求項１０の発明は、請求項８に記載の光ディスク装置において、データ記録時に、前記第１のゲイン調整器の出力と、前記第２のゲイン調整器の出力との振幅の差を検出し、前記振幅の差が小さくなるように、前記バランス調整部を制御する振幅差検出器を更に備えるものである。
【００２２】
請求項１１の発明は、請求項８に記載の光ディスク装置において、データ記録時に、前記第１のゲイン調整器の出力と、前記第２のゲイン調整器の出力との位相の差を検出し、前記位相の差が小さくなるように、前記バランス調整部を制御する位相差検出器を更に備えるものである。
【００２３】
請求項１２の発明では、請求項３に記載の光ディスク装置において、前記制御部は、レーザパワー学習後のレーザパワー学習領域の再生時に、前記付帯情報検出率が高くなるように前記バランス調整信号を求め、前記求められたバランス調整信号を、データ記録時に出力するものである。
【００２４】
請求項１３の発明では、請求項１２に記載の光ディスク装置において、前記制御部は、前記求められたバランス調整信号を出力した後、データ記録時に、前記付帯情報検出率が高くなるように前記バランス調整信号を求め、出力するものである。
【００２５】
請求項１４の発明は、請求項１２に記載の光ディスク装置において、データ記録時に、前記第１のゲイン調整器の出力と、前記第２のゲイン調整器の出力との振幅の差を検出し、前記振幅の差が小さくなるように、前記バランス調整部を制御する振幅差検出器を更に備えるものである。
【００２６】
請求項１５の発明は、請求項１２に記載の光ディスク装置において、データ記録時に、前記第１のゲイン調整器の出力と、前記第２のゲイン調整器の出力との位相の差を検出し、前記位相の差が小さくなるように、前記バランス調整部を制御する位相差検出器を更に備えるものである。
【発明の効果】
【００２７】
本発明によると、光ディスク上のトラックのウォブル及びウォブルにより記録されているアドレス情報等の付帯情報を正確に検出することができる。このため、より高速に光ディスクに記録を行うことが可能となる。
【発明を実施するための最良の形態】
【００２８】
以下、本発明の実施の形態について、図面を参照しながら説明する。
【００２９】
図１は、光ディスクの記録面の構造の例を示す説明図である。光ディスク上に、同心円状又はスパイラル状に形成された線状の領域である情報トラック（以下では、単にトラックと称する）には、データが記録される。トラックは、典型的にはグルーブ又はランドである。ここでは、光ディスクは、ＤＶＤ＋Ｒディスク又はＤＶＤ＋ＲＷディスクであるとして説明するので、トラックはグルーブである。
【００３０】
グルーブは、図１のように、所定の波長の正弦波と、この正弦波から位相が１８０度ずれた正弦波とをつなぎ合わせた形状にウォブリング（蛇行）させられている。グルーブには、このようなウォブルによって、アドレス情報（ＡＤＩＰ（Address In Pre-groove）と呼ばれる）が付帯情報として記録されている。
【００３１】
図２は、本発明の実施形態に係る光ディスク装置のブロック図である。図１の光ディスク装置は、光ピックアップ１０と、半導体レーザ制御ブロック２２と、サーボ処理ブロック２４と、制御部としての中央制御ブロック２６と、再生信号処理ブロック３０とを備えている。
【００３２】
光ピックアップ１０は、光照射素子としての半導体レーザ１１と、半導体レーザ駆動ブロック１２と、光検出部１４とを有しており、光ディスク２に対するデータの書き込み及び光ディスク２からのデータの読み出しを行う。光ディスク２は、モータ４によって回転させられている。再生信号処理ブロック３０は、付帯情報抽出ブロック３２と、データ検出ブロック３４とを有している。
【００３３】
中央制御ブロック２６は、半導体レーザ制御ブロック２２、サーボ処理ブロック２４、付帯情報抽出ブロック３２、及びデータ検出ブロック３４等の制御を行っている。また、中央制御ブロック２６は、図２の光ディスク装置の外部からも制御され得る。
【００３４】
半導体レーザ制御ブロック２２は、半導体レーザ１１の出力パワーを半導体レーザ駆動ブロック１２に設定する。半導体レーザ駆動ブロック１２は、設定された出力パワーに基づいて、半導体レーザ１１の駆動電流を決定し、半導体レーザ１１を駆動する。サーボ処理ブロック２４は、光ピックアップ１０の移動を制御する。再生信号処理ブロック３０は、光検出部１４から出力される信号に処理を行う。
【００３５】
図３（ａ）は、図１の光ディスクの平面図である。図３（ｂ）は、図２の光検出部１４の構成を示すブロック図である。グルーブには、外周側の境界Ｓ１と、内周側の境界Ｓ２とが存在している。光検出部１４は、光検出素子１５と、増幅器１６Ａ，１６Ｂ，１６Ｃ，１６Ｄと、加算回路１７Ａ，１７Ｂ，１７Ｃ，１７Ｄとを備えている。
【００３６】
半導体レーザ１１は、所定のパワーで光ディスク２に光ビームを照射し、図１又は図３（ａ）に示すように、光ディスク２のトラック（ここではグルーブ）上に光スポットを形成する。照射された光ビームは、光ディスク２によって反射される。この反射光は、光検出部１４の光検出素子１５（図３（ｂ）参照）によって検出される。
【００３７】
光検出素子１５は、反射光を検出する際に、グルーブの方向（トラック方向）と直交する方向（すなわちディスクの半径方向）に並ぶように配置された少なくとも２つの受光部を有している。より具体的には、図３（ｂ）のように、光検出素子１５は、４つの受光部Ａ〜Ｄを有している。受光部Ａ及びＤがグルーブの中心Ｇ０に対してディスクの外周側になるように配置されている。これに対して、受光部Ｂ及びＣがグルーブの中心Ｇ０に対してディスクの内周側になるように配置されている。
【００３８】
増幅器１６Ａ〜１６Ｄは、光検出素子１５の受光部Ａ〜Ｄの出力をそれぞれ増幅して、加算回路１７Ａ〜１７Ｄにそれぞれ出力する。加算回路１７Ａは、増幅器１６Ａと増幅器１６Ｄとの出力を加算して、得られたトラッキング検出信号ＴＫＡを出力し、加算回路１７Ｂは、増幅器１６Ｂと増幅器１６Ｃとの出力を加算して、得られたトラッキング検出信号ＴＫＢを出力する。すなわち、図３（ａ）に示すようなグルーブの外周側の境界Ｓ１を含む領域からの反射光がトラッキング検出信号ＴＫＡに変換され、グルーブの内周側の境界Ｓ２を含む領域からの反射光がトラッキング検出信号ＴＫＢに変換される。
【００３９】
また、加算回路１７Ｃは、増幅器１６Ａと増幅器１６Ｃとの出力を加算して、得られたフォーカス検出信号ＦＣＣを出力し、加算回路１７Ｄは、増幅器１６Ｂと増幅器１６Ｄとの出力を加算して、得られたフォーカス検出信号ＦＣＤを出力する。
【００４０】
サーボ処理ブロック２４は、フォーカス検出信号ＦＣＣ，ＦＣＤに基づいてフォーカス制御信号ＦＣＳを生成し、トラッキング検出信号ＴＫＡ，ＴＫＢに基づいてトラッキング制御信号ＴＲＫを生成し、生成した信号を光ピックアップ１０に出力する。これによって、光ピックアップ１０は、光ディスク２上にレーザビームが正確にフォーカッシング及びトラッキングされるように制御される。なお、このようなフォーカス制御及びトラッキング制御は、公知の方法によって実現される。
【００４１】
付帯情報抽出ブロック３２は、トラッキング検出信号ＴＫＡ，ＴＫＢに基づいて、光ディスク２上に記録されている付帯情報の抽出を行う。データ検出ブロック３４は、トラッキング検出信号ＴＫＡ，ＴＫＢ及びフォーカス検出信号ＦＣＣ，ＦＣＤに基づいて、光ディスク２に記録されたデータを再生する。
【００４２】
図４は、図２の付帯情報抽出ブロック３２の構成の例を示すブロック図である。付帯情報抽出ブロック３２は、ＡＧＣ４２Ａ，４２Ｂと、バランス調整部４４と、減算回路４６と、ＬＰＦ４８と、ゲインアンプ５２と、付帯情報抽出器５４と、付帯情報検出判定器５６と、付帯情報検出率測定器５８とを備えている。バランス調整部４４は、バランス調整器４４Ａ，４４Ｂを有している。
【００４３】
ＡＧＣ４２Ａ，４２Ｂは、トラッキング検出信号ＴＫＡ，ＴＫＢの振幅をそれぞれ正規化し、バランス調整器４４Ａ，４４Ｂにそれぞれ出力する。バランス調整器４４Ａ，４４Ｂは、バランス調整信号ＢＡＬに基づいて、ＡＧＣ４２Ａ，４２Ｂの出力信号の振幅をそれぞれ調整し、バランス調整後のトラッキング検出信号ＢＴＡ，ＢＴＢとして減算回路４６にそれぞれ出力する。例えば、バランス調整信号ＢＡＬが増大する場合に、バランス調整器４４ＡはＡＧＣ４２Ａの出力信号の振幅を大きくし、バランス調整器４４ＢはＡＧＣ４２Ｂの出力信号の振幅を小さくして出力する。すなわち、バランス調整器４４Ａ，４４Ｂは、ＡＧＣ４２Ａの出力信号とＡＧＣ４２Ｂの出力信号とを、両者の振幅の比がバランス調整信号ＢＡＬに応じた比となるように調整する。
【００４４】
減算回路４６は、バランス調整後のトラッキング検出信号ＢＴＡとＢＴＢとの差を求め、得られた差動信号をＬＰＦ４８に出力する。ＬＰＦ４８は、減算回路４６から出力された差動信号の低周波成分をゲインアンプ５２に出力する。ゲインアンプ５２には、ゲインアンプ制御信号ＡＭＣに応じてゲインが設定される。ゲインアンプ５２は、設定されたゲインに従って、ＬＰＦ４８の出力を増幅し、付帯情報抽出器５４に出力する。付帯情報抽出器５４は、ゲインアンプ５２の出力に基づいて付帯情報の抽出を行い、抽出された付帯情報を付帯情報検出判定器５６に出力する。
【００４５】
付帯情報検出判定器５６は、付帯情報が求められたタイミングに基づいて、付帯情報が正しく求められたか否かを判定し、その判定結果を付帯情報検出率測定器５８に出力する。付帯情報検出率測定器５８は、付帯情報検出判定器５６による判定結果に基づいて、付帯情報が求められた率を測定し、その測定結果を付帯情報検出率として中央制御ブロック２６に出力する。付帯情報検出率は、ある一定の大きさのデータ領域に関して再生又は記録を行ったときに検出された付帯情報の量の、そのデータ領域に存在し得る付帯情報の量に対する比である。中央制御ブロック２６は、付帯情報が正確に求められるように、バランス調整信号ＢＡＬを生成して、バランス調整器４４Ａ，４４Ｂに出力する。
【００４６】
図５は、バランス調整信号ＢＡＬと付帯情報検出率との関係を示すグラフである。光ディスク２のグルーブに形成されている記録マーク及びスペースは、トラッキング検出信号ＴＫＡ，ＴＫＢにおいて同相のデータ信号として現れる。減算回路４６から出力された差動信号においては、トラッキング検出信号ＴＫＡ，ＴＫＢに含まれる同相のデータ信号は相殺されているので、抽出される付帯情報への影響は少ない。しかし、ＡＧＣ４２Ａ，４２Ｂから出力される正規化された信号の振幅が異なる場合には、同相のデータ信号が十分に相殺されず、付帯情報検出率が低下する。
【００４７】
バランス調整器４４Ａ，４４Ｂは、バランス調整信号ＢＡＬに応じてＡＧＣ４２Ａの出力信号とＡＧＣ４２Ｂの出力信号との振幅の比を変化させるので、図５は、振幅比に応じた付帯情報検出率の変化を示しているとも言える。
【００４８】
付帯情報検出率が最も高くなるようなバランス調整信号ＢＡＬの値や振幅比は、記録済みディスク再生時とデータ記録時とにおいてほぼ一致する。ただし、図５に示されているように、記録時には、再生時に比べて、バランス調整信号ＢＡＬの値や振幅比の変化に対する付帯情報検出率の変化が大きい。
【００４９】
図６（ａ）は、理想的な場合における、図４の減算回路４６から出力される差動信号の波形を示すグラフである。図６（ｂ）は、図４の減算回路４６に入力される信号の振幅のバランスが適切でない場合における、差動信号の波形を示すグラフである。
【００５０】
図６（ｂ）の場合には、差動信号に漏れ込んだデータ信号の大きさが大きく、付帯情報が得られない可能性がある。このため、バランス調整器４４Ａ及び４４Ｂの出力信号の振幅比を適切に調節することによって、データ信号の差動信号への漏れ込みを少なくすることが望ましい。例えば、付帯情報検出率測定器５８から出力される付帯情報検出率が最も高くなるように、中央制御ブロック２６がバランス調整信号ＢＡＬを出力することによって、バランス調整器４４Ａ，４４Ｂの出力信号の振幅比を設定する。
【００５１】
図５に示されているように、最適なバランス調整信号ＢＡＬの値は、記録済みディスク再生時とデータ記録時とにおいてほぼ一致するので、次のようにしてよい。すなわち、中央制御ブロック２６は、記録済みディスク再生時において、以上で説明したように、付帯情報検出率が最も高くなるようにバランス調整信号ＢＡＬを求めておく。言い換えると、バランス調整器４４Ａ，４４Ｂの出力信号の振幅比を設定する、バランス調整を行っておく。その後、データ記録時において、中央制御ブロック２６は、この求められたバランス調整信号ＢＡＬを出力するようにする。
【００５２】
以上のように、図２の光ディスク装置によると、データ記録時において、光ディスク上のグルーブのウォブルを正確に検出することができ、ウォブルにより記録されているＡＤＩＰ等の付帯情報を正確に検出することができる。
【００５３】
なお、中央制御ブロック２６は、データ記録時において、このように記録済みディスク再生時において求められたバランス調整信号ＢＡＬを出力した後、データ記録時に取得される付帯情報検出率に基づいて、常時、最適なバランス調整信号ＢＡＬを求めてバランス調整を行うようにしてもよい。
【００５４】
これにより、回路規模を増大させることなく、レーザパワーや光ディスクのばらつきによらず、データ記録時に常時、付帯情報検出率を最大とすることが可能となる。
【００５５】
（第１の変形例）
図７は、本発明の実施形態の第１の変形例に係る光ディスク装置における付帯情報抽出ブロック２３２の構成の例を示すブロック図である。この変形例では、図２の光ディスク装置において、付帯情報抽出ブロック３２に代えて、付帯情報抽出ブロック２３２を用いる。図７の付帯情報抽出ブロック２３２は、図４の付帯情報抽出ブロック３２において、バランス調整部４４に代えてバランス調整部２４４を備え、振幅差検出器２６２を更に備えたものである。バランス調整部２４４は、バランス調整器２４４Ａ，２４４Ｂを有している。
【００５６】
記録済みディスク再生時において、図１〜６を参照して説明したのと同様に、バランス調整器２４４Ａ，２４４Ｂの出力信号の振幅比を調整して、バランス調整を行っておく。その後、データ記録時において、振幅差検出器２６２は、ＡＧＣ４２Ａ，４２Ｂから出力される信号の振幅の差を検出し、検出された振幅の差に基づいて、振幅の差が小さくなるように、常時、バランス調整器２４４Ａ，２４４Ｂの出力信号の振幅比を調整する。振幅差検出器２６２は、例えば検波器や積分器を有している。
【００５７】
図７の付帯情報抽出ブロック２３２によると、レーザパワーや光ディスクのばらつきによらず、データ記録時に常時、付帯情報検出率を最大とすることが可能となる。
【００５８】
（第２の変形例）
図８は、本発明の実施形態の第２の変形例に係る光ディスク装置における付帯情報抽出ブロック３３２の構成の例を示すブロック図である。この変形例では、図２の光ディスク装置において、付帯情報抽出ブロック３２に代えて、付帯情報抽出ブロック３３２を用いる。図８の付帯情報抽出ブロック３３２は、図４の付帯情報抽出ブロック３２において、バランス調整部４４に代えてバランス調整部３４４を備え、位相差検出器３６４を更に備えたものである。バランス調整部３４４は、バランス調整器３４４Ａ，３４４Ｂを有している。
【００５９】
記録済みディスク再生時において、図１〜６を参照して説明したのと同様に、バランス調整器３４４Ａ，３４４Ｂの出力信号の振幅比を調整しておく。その後、データ記録時において、位相差検出器３６４は、ＡＧＣ４２Ａ，４２Ｂから出力される信号の位相の差を検出し、検出された位相の差に基づいて、位相の差が小さくなるように、常時、バランス調整器３４４Ａ，３４４Ｂの出力信号の振幅比を調整する。
【００６０】
ここで、位相差とは、トラッキング検出信号ＴＫＡ及びＴＫＢの周波数特性の差により生じる位相の差を指しており、この主たる要因としては、光検出素子１５の４つの受光部Ａ〜Ｄからの出力信号の周波数特性ばらつきが挙げられる。この位相差により、データ信号が相殺されず、減算回路４６から出力される差動信号への漏れ込みが発生する。特にデータ記録時には、光検出素子１５の出力信号の周波数特性ばらつきがより顕著になる。
【００６１】
図８の付帯情報抽出ブロック３３２によると、光検出素子１５の出力信号の周波数特性、レーザパワーや光ディスクのばらつきによらず、データ記録時に常時、付帯情報検出率を最大とすることが可能となる。
【００６２】
なお、以上の実施形態において、記録済みディスク再生時にバランス調整信号ＢＡＬを求めてバランス調整を行う代わりに、レーザパワー学習領域への記録時に、バランス調整信号ＢＡＬを求めるようにしてもよい。すなわち、中央制御ブロック２６は、レーザパワー学習領域であるＰＣＡ（Power Caribration Area）領域に記録を行い、そのときの付帯情報検出率に基づき、付帯情報検出率が高くなるようにバランス調整信号を求める。その後、データ記録時において、中央制御ブロック２６は、この求められたバランス調整信号を出力する。
【００６３】
ＰＣＡ領域とは、レーザパワーの調整用に、光ディスクの内周に用意されている領域である。また、ＰＣＡ領域の他に、光ディスクの最外周の領域等を使用して、バランス調整のための試し書きを行うようにしてもよい。
【００６４】
外周と内周とにおいて、最適なバランス調整信号ＢＡＬの値が異なるような場合には、外周及び内周のそれぞれにおいて、付帯情報検出率が最大となるようにバランス調整を行い、その他の位置では、バランス調整器４４Ａ，４４Ｂに与える信号を、外周及び内周の場合に基づいて線形補間して求めるようにすればよい。
【００６５】
このように、光ディスクへのデータ記録開始前にバランス調整が行われるようにすれば、記録済みディスクを再生してバランス調整を行う必要がなくなる。
【００６６】
この場合においても、中央制御ブロック２６は、求められたバランス調整信号ＢＡＬを出力した後、データ記録時に取得される付帯情報検出率に基づいて、常時、最適なバランス調整信号ＢＡＬを求めてバランス調整を行うようにしてもよい。また、付帯情報抽出ブロック３２に代えて、付帯情報抽出ブロック２３２又は付帯情報抽出ブロック３３２を用いるようにしてもよい。
【００６７】
また、以上の実施形態において、記録済みディスク再生時にバランス調整信号ＢＡＬを求めてバランス調整を行う代わりに、レーザパワー学習後のＰＣＡ領域（レーザパワー学習領域）の再生時に、バランス調整信号ＢＡＬを求めるようにしてもよい。すなわち、中央制御ブロック２６は、ＰＣＡ領域に記録を行ってレーザパワーを学習した後に、ＰＣＡ領域の再生を行い、そのときの付帯情報検出率に基づき、付帯情報検出率が高くなるようにバランス調整信号を求める。その後、データ記録時において、中央制御ブロック２６は、この求められたバランス調整信号を出力する。
【００６８】
すると、新たにＰＣＡ領域を使用することなく、バランス調整を行うことができるので、ＰＣＡ領域の不足及びレーザパワー学習時間の増加を考慮する必要がなくなる。
【００６９】
この場合においても、中央制御ブロック２６は、求められたバランス調整信号ＢＡＬを出力した後、データ記録時に取得される付帯情報検出率に基づいて、常時、最適なバランス調整信号ＢＡＬを求めてバランス調整を行うようにしてもよい。また、付帯情報抽出ブロック３２に代えて、付帯情報抽出ブロック２３２又は付帯情報抽出ブロック３３２を用いるようにしてもよい。
【産業上の利用可能性】
【００７０】
以上説明したように、本発明は、ウォブル及びウォブルによって記録された付帯情報をより正確に抽出できるようにするので、高速で記録を行う光ディスク装置等について有用である。
【図面の簡単な説明】
【００７１】
【図１】光ディスクの記録面の構造の例を示す説明図である。
【図２】本発明の実施形態に係る光ディスク装置のブロック図である。
【図３】（ａ）は、図１の光ディスクの平面図である。（ｂ）は、図２の光検出部１４の構成を示すブロック図である。
【図４】図２の付帯情報抽出ブロックの構成の例を示すブロック図である。
【図５】バランス調整信号と付帯情報検出率との関係を示すグラフである。
【図６】（ａ）は、理想的な場合における、図４の減算回路から出力される差動信号の波形を示すグラフである。（ｂ）は、図４の減算回路に入力される信号の振幅のバランスが適切でない場合における、差動信号の波形を示すグラフである。
【図７】本発明の実施形態の第１の変形例に係る光ディスク装置における付帯情報抽出ブロックの構成の例を示すブロック図である。
【図８】本発明の実施形態の第２の変形例に係る光ディスク装置における付帯情報抽出ブロックの構成の例を示すブロック図である。
【符号の説明】
【００７２】
１０  光ピックアップ
１１  半導体レーザ（光照射素子）
１２  半導体レーザ駆動ブロック
１４  光検出部
２２  半導体レーザ制御ブロック
２４  サーボ処理ブロック
２６  中央制御ブロック（制御部）
３０  再生信号処理ブロック
３２，２３２，３３２  付帯情報抽出ブロック
３４  データ検出ブロック
４２Ａ，４２Ｂ  ＡＧＣ
４４，２４４，３４４  バランス調整部
４６  減算回路
４８  ＬＰＦ
５２  ゲインアンプ
５４  付帯情報抽出器
５６  付帯情報検出判定器
５８  付帯情報検出率測定器
２６２  振幅差検出器
３６４  位相差検出器
【図１】
2006277876.tif 000003
【図２】
2006277876.tif 000004
【図３】
2006277876.tif 000005
【図４】
2006277876.tif 000006
【図５】
2006277876.tif 000007
【図６】
2006277876.tif 000008
【図７】
2006277876.tif 000009
【図８】
2006277876.tif 000010